(57)【要約】      （修正有）【課題】鉄筋コンクリートの鉄筋配設工事において、縦鉄筋に横鉄筋を連結する際に使用して便利な鉄筋位置決め設置用具の提供。【解決手段】縦鉄筋２０をばね弾力により挟持する挟持部２と、ばね弾力に抗して挟持部２を開く挟持操作取手部３とからなる縦鉄筋挟持部材１に、横鉄筋３０を縦鉄筋２０に接して保持可能な横鉄筋保持部材１１を設けてなる鉄筋位置決め設置用具。【選択図】図１
0003118403.tif 000002
【実用新案登録請求の範囲】
【請求項１】
縦鉄筋をばね弾力により挟持する挟持部と、ばね弾力に抗して挟持部を開く挟持操作取手部とからなる縦鉄筋挟持部材に、横鉄筋を縦鉄筋に接して保持可能な横鉄筋保持部材を設けてなる鉄筋位置決め設置用具。
【請求項２】
請求項１に記載の鉄筋位置決め設置用具において、縦鉄筋挟持部材に横鉄筋保持部材を保持方向を可変に取り付けてなる鉄筋位置決め設置用具。
【請求項３】
請求項２に記載の鉄筋位置決め設置用具において、縦鉄筋挟持部材の挟持部と挟持操作取手部とを縦鉄筋挟持時に縦鉄筋とほぼ平行する支点軸で連結すると共に、支点軸の延長部分で横鉄筋保持部材を保持方向を可変に取り付けてなる鉄筋位置決め設置用具。
【請求項４】
請求項１、２又は３に記載の鉄筋位置決め設置用具において、横鉄筋保持部材がコ字型断面形状からなる鉄筋位置決め設置用具。
【考案の詳細な説明】
【技術分野】
【０００１】
本考案は、鉄筋コンクリートの鉄筋配設工事において、縦鉄筋に横鉄筋を連結する際に使用して便利な鉄筋位置決め設置用具に関する。
【背景技術】
【０００２】
従来、縦鉄筋と横鉄筋の両者を固定する場合、縦鉄筋設置後、目的の位置に人力で横鉄筋の両端を２人で支え、他の者がこれを結束線で２点以上仮止めしてから固定していた。
【考案の開示】
【考案が解決しようとする課題】
【０００３】
然るに、前述の如く、縦鉄筋に横鉄筋を位置決めして固定する場合、３人以上の人員を必要とし、更には、仮止めした結束線は一度取り外して正規に固定する必要があり、人的にも時間的にも課題があった。
【課題を解決するための手段】
【０００４】
そこで、本考案は、請求項１に記載のように、縦鉄筋をばね弾力により挟持する挟持部と、ばね弾力に抗して挟持部を開く挟持操作取手部とからなる縦鉄筋挟持部材に、横鉄筋を縦鉄筋に接して保持可能な横鉄筋保持部材を設けてなる鉄筋位置決め設置用具を提供しようとするものである。
【０００５】
また、本考案は、請求項２に記載のように、請求項１に記載の鉄筋位置決め設置用具において、縦鉄筋挟持部材に横鉄筋保持部材を保持方向を可変に取り付けてなる鉄筋位置決め設置用具を提供しようとするものである。
【０００６】
また、本考案は、請求項３に記載のように、請求項２に記載の鉄筋位置決め設置用具において、縦鉄筋挟持部材の挟持部と挟持操作取手部とを縦鉄筋挟持時に縦鉄筋とほぼ平行する支点軸で連結すると共に、支点軸の延長部分で横鉄筋保持部材を保持方向を可変に取り付けてなる鉄筋位置決め設置用具を提供しようとするものである。
【０００７】
また、本考案は、請求項４に記載のように、請求項１、２又は３に記載の鉄筋位置決め設置用具において、横鉄筋保持部材がコ字型断面形状からなる鉄筋位置決め設置用具を提供しようとするものである。
【考案の効果】
【０００８】
本考案に係る鉄筋位置決め設置用具によれば、請求項１に記載のように、縦鉄筋をばね弾力により挟持する挟持部と、ばね弾力に抗して挟持部を開く挟持操作取手部とからなる縦鉄筋挟持部材に、横鉄筋を縦鉄筋に接して保持可能な横鉄筋保持部材を設けてなる構成を有することにより、挟持操作取手部を持って挟持部をばね弾力を利用して開閉操作して縦鉄筋の適宜な位置に仮止めし、横鉄筋保持部材に横鉄筋を縦鉄筋に接して保持させて、縦鉄筋挟持部材の挟持位置を必要に応じて高さ調整移動して縦鉄筋に横鉄筋を固定すべき位置を決定することができるから、例えば、一人の人員で、一列に多数並んで立設してある縦鉄筋に横鉄筋を２個の本考案鉄筋位置決め設置用具により位置決め仮止めし、多数個所に立設した縦鉄筋の必要個所に横鉄筋を容易、安全、正確、確実及び迅速に固定することができるから、従来３人以上の人員にって結束線を仮止め取り外していた労力を人的にも時間的にも不要とすることができる効果がある。
【０００９】
また、本考案は、請求項２に記載のように、請求項１に記載の鉄筋位置決め設置用具において、縦鉄筋挟持部材に横鉄筋保持部材を保持方向を可変に取り付けてなる構成を有することにより、縦鉄筋に固定した縦鉄筋挟持部材に対して横鉄筋保持部材の保持方向を可変にして横鉄筋を保持することができるから、長尺の横鉄筋の固定方向に適宜対応して横鉄筋を保持し、縦鉄筋に横鉄筋を容易に位置決めして固定することができる効果がある。
【００１０】
また、本考案は、請求項３に記載のように、請求項２に記載の鉄筋位置決め設置用具において、縦鉄筋挟持部材の挟持部と挟持操作取手部とを縦鉄筋挟持時に縦鉄筋とほぼ平行する支点軸で連結すると共に、支点軸の延長部分で横鉄筋保持部材を保持方向を可変に取り付けてなる構成を有することにより、縦鉄筋挟持部材の挟持部と挟持操作取手部との挟持操作位置に不動な支点軸を中心に、且つ、縦鉄筋挟持時に縦鉄筋とほぼ平行する支点軸を中心に、横鉄筋保持部材の保持方向を可変にして横鉄筋の位置決めを確実に行うことができる効果がある。
【００１１】
また、本考案は、請求項４に記載のように、請求項１、２又は３に記載の鉄筋位置決め設置用具において、横鉄筋保持部材がコ字型断面形状からなる構成を有することにより、横鉄筋を開口部に位置する縦鉄筋に対して閉じこめた形で確実に保持し、挿通した横鉄筋をコ字形状の下片部でほぼ水平を保って位置決め調整することができる効果がある。
【考案を実施するための最良の形態】
【００１２】
本考案に係る鉄筋位置決め設置用具１０は、図１に記載のように、縦鉄筋２０をばね弾力により挟持する挟持部２と、ばね弾力に抗して挟持部２を開く挟持操作取手部３とからなる縦鉄筋挟持部材１に、横鉄筋３０を縦鉄筋２０に接して保持可能な横鉄筋保持部材１１を設けてなる構成を有する。
【実施例１】
【００１３】
この構成により、挟持操作取手部３を持って挟持部２をばね弾力を利用して開閉操作して縦鉄筋２０の適宜な位置に仮止めし、横鉄筋保持部材１１に横鉄筋３０を縦鉄筋２０に接して保持させて、縦鉄筋挟持部材１の挟持位置を必要に応じて高さ調整移動し、縦鉄筋２０に横鉄筋３０を固定すべき位置を決定することができるから、一列に多数並んで立設してある縦鉄筋２０に横鉄筋３０を２個の本考案鉄筋位置決め設置用具１０により位置決め仮止めし、多数個所に立設した縦鉄筋２０の必要個所に横鉄筋３０を、従来公知の緊締ワイヤ、緊締金具等からなる固定部材４０により容易、安全、正確、確実及び迅速に固定することができる。
【００１４】
縦鉄筋挟持部材１は、図示の実施例の場合、図２に記載のように、一対の挟持部２と挟持操作取手部３とが挟持部２付近の中間部に互いに対向して突設した上下２個の連結片４を貫通して設けた支点軸５によって開閉自在に連結されて構成してあり、図では省略した板ばねを従来公知の手段で連結片４の間に設けて、支点軸５を中心に挟持部２に挟持弾力を付与するように構成してある。
挟持部２は、表面に凹凸のある縦鉄筋２０を挟持する関係上、挟持片の内側に弾性ゴム層、合成樹脂層等のクッション性と滑り止め機能を有する挟持面部材を設けることも勿論可能である。
【００１５】
なお、上記の本考案の縦鉄筋挟持部材１は、上記の構成に限定されるものではなく、従来公知の種々の構成を採用することができる。
次いで、横鉄筋保持部材１１は、図示の実施例の場合、コ字型断面形状からなり、縦鉄筋挟持部材１が縦鉄筋２０を挟持した状態で、下片部１２がほぼ水平になるように縦鉄筋挟持部材１に取り付けてある。実施例の場合、下片部１２は平板状に設けてあるが、丸棒状又は、Ｖ又はＵ字断面状であっても良い。また、下片部１２の先端部に落下止めストッパを凸設することも可能である。
【００１６】
横鉄筋保持部材１１の縦鉄筋挟持部材１への取付方法は、例えば、挟持部２の連結片４寄りの縁部に開口部１３が臨むように、下側の連結片４に固定して設けることも可能であるが、連結片４に縦鉄筋挟持時に縦鉄筋とほぼ平行する支軸に、回転可能に取り付け、横鉄筋の支持方向に対応して回転可能に構成することも勿論可能である。
図示の実施例では、前記支点軸５の延長部分で横鉄筋保持部材１１を保持方向を可変に取り付けてた構成に設けてある。
【００１７】
図２の実施例の場合、コ字型断面形状の横鉄筋保持部材１１の上片部１４を貫通して支点軸５の延長部に取り付け、縦鉄筋挟持部材１の挟持部２と挟持操作取手部３との挟持操作位置に不動な支点軸５を中心に、且つ、縦鉄筋挟持時に縦鉄筋２０とほぼ平行する支点軸５を中心に、横鉄筋保持部材１１の保持方向を可変にして横鉄筋３０の位置決めを確実に行うことができるように構成してある
【００１８】
なお、上記実施例の横鉄筋保持部材１１では、横鉄筋３０を載置する形態で保持する構成であるが、従来周知の洗濯ばさみやクリップ具のように挟持弾力を有する開閉挟持部を有する横鉄筋保持部材１１を縦鉄筋挟持部材１に取り付ける構成にすることも勿論可能である。その構成は、例えば、図示の実施例の上片部１４のみの板片にクリップ具の一方の取手部を固定し、その挟持部がほぼ水平に横鉄筋を挟持できるように構成することで実現することができる。
【図面の簡単な説明】
【００１９】
【図１】本考案具の一実施例の一使用態様を示す概略斜視図。
【図２】その実施例の要部を拡大して示す概略斜視図。
【符号の説明】
【００２０】
１      縦鉄筋挟持部材
２      挟持部
３      挟持操作取手部
４      連結片
５      支点軸
１０    鉄筋位置決め設置用具
１１    横鉄筋保持部材
１２    下片部
１３    開口部
１４    上片部
２０    縦鉄筋
３０    横鉄筋
４０    固定部材
【図１】
0003118403.tif 000003
【図２】
0003118403.tif 000004